(57)【要約】【課題】近距離無線通信を使用した通信におけるユーザの使用性の向上を図り、スムーズな機器運用を可能とする。【解決手段】ネットワーク８に接続するためのインターフェイス及び無線を使用して接続するためのローカルインターフェイスとしてのＮＦＣ−Ｒ／Ｗ１１，１２を備えた周辺機器であって、前記周辺機器は、前ＮＦＣ−Ｒ／Ｗ１１，１２を介してデバイス機器、例えばＩＣカードから近距離無線通信によるアクセスがあり、当該近距離通信で使用されるＮＦＣトークン１０の認証動作から始まる前記周辺機器の利用が開始される際、当該周辺機器に関する利用開始情報、例えば通信内容の詳細と手順などを画像形成装置１の操作表示部１３に表示し、ユーザが接続される周辺機器の利用状況を把握できるようにする。【選択図】図１
2010136016.tif 000002
【特許請求の範囲】
【請求項１】
有線ＬＡＮ及び無線ＬＡＮ回線の少なくとも一方に接続するためのインターフェイス及び無線を使用して接続するためのローカルインターフェイスを備えた周辺機器であって、
前記周辺機器は、前記ローカルインターフェイスを介してデバイス機器から近距離無線通信によるアクセスがあり、当該アクセスに基づいてホスト機器としての利用が開始される際、当該周辺機器に関する利用開始情報を当該周辺機器の操作表示部に表示すること
を特徴とする周辺機器。
【請求項２】
請求項１記載の周辺機器であって、
前記利用開始情報が、有線ＬＡＮ接続状態、無線ＬＡＮ接続状態、ブルートゥースによる通信状態、ワイヤレスＵＳＢによる通信状態、及びデバイス機器のユーザがユーザ認証によって正規ユーザとして認証が完了した状態のいずれかであること
を特徴とする周辺機器。
【請求項３】
請求項１又は２記載の周辺機器であって、
前記利用が開始される際、前記周辺機器はアクセスされた情報に基づいて前記デバイス機器を認識する認証を実行し、認証が完了したときに前記利用を許可すること
を特徴とする周辺機器。
【請求項４】
請求項１又は２記載の周辺機器であって、
前記利用が開始される際、前記周辺機器はアクセスされた情報に基づいて前記デバイス機器を認識する認証を実行し、認証が失敗したとき、その旨、前記操作表示部に表示すること
を特徴とする周辺機器。
【請求項５】
請求項３又は４記載の周辺機器であって、
前記認証は、当該周辺機器内に保持されている認証情報、あるいはネットワーク上に設置されている認証サーバの認証情報を用いて行われること
を特徴とする周辺機器。
【請求項６】
請求項５記載の周辺機器であって、
前記認証は、前記デバイス機器内のトークン情報に基づいて行われること
を特徴とする周辺機器。
【請求項７】
請求項６記載の周辺機器であって、
前記トークン情報が、前記デバイス機器のタイプ判別情報と、アソシエーション種別に基づいて行われること
を特徴とする周辺機器。
【請求項８】
請求項７記載の周辺機器であって、
前記タイプ判別情報が、ＦｅｌｉＣａ規格、ＴｙｐｅＡ規格、ＴｙｐｅＢ規格を含むＩＣカード規格、及びＰｔｏＰのいずれかであること
を特徴とする周辺機器。
【請求項９】
請求項７記載の周辺機器であって、
前記アソシエーション種別が、アソシエーション、ペアリング、及びＩＣカード認証のいずれかであること
を特徴とする周辺機器。
【請求項１０】
請求項１ないし９のいずれか１項に記載の周辺機器であって、
前記利用が開始された後、前記近距離通信による通信の通信内容の詳細と手順を前記操作表示部に表示すること
を特徴とする周辺機器。
【請求項１１】
請求項１ないし１０のいずれか１項に記載の周辺機器であって、
前記近距離無線通信による通信の通信内容を記録し、保持する手段を備えていること
を特徴とする周辺機器。
【請求項１２】
請求項１ないし１１のいずれか１項に記載の周辺機器であって、
前記周辺機器が、プリンタ装置、スキャナ装置、ファクシミリ装置、これらの各装置のうちの少なくとも２つの機能を有するデジタル複合機、及びパーソナルコンピュータのうちの１つであり、
前記デバイス機器が、ＩＣカード、ＲＦＩＤ、ＮＦＣ−Ｒ／Ｗ、携帯電話、及びＰＤＡのうちの１つであること
を特徴とする周辺機器。
【請求項１３】
有線ＬＡＮ及び無線ＬＡＮ回線のいずれかを含むネットワーク回線と、
このネットワーク回線に前記インターフェイスを介して接続された請求項１ないし１２のいずれか１項に記載の周辺機器と、
を備えていることを特徴とするネットワークシステム。
【請求項１４】
有線ＬＡＮ及び無線ＬＡＮ回線の少なくとも一方に接続するためのインターフェイス及び無線を使用して接続するためのローカルインターフェイスを備えた周辺機器の通信処理方法であって、
前記ローカルインターフェイスを介し、近距離無線通信によりデバイス機器から前記周辺機器にアクセスがあり、当該アクセスに基づいて前記周辺機器の利用が開始される際、当該周辺機器に関する利用開始情報を当該周辺機器の操作表示部に表示すること
を特徴とする周辺機器の通信処理方法。
【請求項１５】
請求項１４記載の周辺機器の通信処理方法であって、
前記アクセスに基づいて前記周辺機器の利用が開始される際、
前記デバイス機器の前記近距離無線通信で使用されるトークンを認識し、
前記トークンのタイプを判定し、
前記トークン情報を取得し、
その間、情報処理中である旨、前記周辺機器の操作表示部に表示すること
を特徴とする周辺機器の通信処理方法。
【請求項１６】
請求項１５記載の周辺機器の通信処理方法であって、
前記トークン情報を取得した後、前記トークンに基づいて前記デバイス機器のユーザ認証か、前記デバイス機器のネットワーク設定かを判断すること
を特徴とする周辺機器の通信処理方法。
【請求項１７】
請求項１６記載の周辺機器の通信処理方法であって、
前記判断でユーザ認証であったときには、認証画面を表示し、認証の可否を判断することを特徴とする周辺機器の通信処理方法。
【請求項１８】
請求項１６記載の周辺機器の通信処理方法であって、
前記判断でネットワーク設定であったときには、
前記操作表示部にネットワーク設定中である旨表示し、
ネットワークの種別を判断し、
前記種別に応じたペアリングを実施すること
を特徴とする周辺機器の通信処理方法。
【請求項１９】
有線ＬＡＮ及び無線ＬＡＮ回線の少なくとも一方に接続するためのインターフェイス及び無線を使用して接続するためのローカルインターフェイスを備えた周辺機器の通信処理制御をコンピュータで実行するためのコンピュータプログラムであって、
前記ローカルインターフェイスを介し、近距離無線通信によりデバイス機器から前記周辺機器にアクセスがあり、当該アクセスに基づいて前記周辺機器の利用が開始される際、
前記デバイス機器の前記近距離無線通信で使用されるトークンを認識する手順と、
前記トークンのタイプを判定する手順と、
前記トークン情報を取得する手順と、
その間、情報処理中である旨、前記周辺機器の操作表示部に表示する手順と、
を備えていることを特徴とするコンピュータプログラム。
【請求項２０】
請求項１９記載のコンピュータプログラムがコンピュータによって読み取られ、実行可能に記録されていることを特徴とする記録媒体。
【発明の詳細な説明】
【技術分野】
【０００１】
本発明は、近接無線通信技術を使用したデータ通信による認証機能を有する画像形成装置を含む周辺機器、この周辺機器が有線又は無線のネットワークを介して接続されたネットワークシステム、前記周辺機器の前記認証を含む通信処理方法、この通信処理方法で実施される通信処理制御をコンピュータによって実行するためのコンピュータプログラム、及びこのコンピュータプログラムがコンピュータによって実行可能に記録された記録媒体に関する。
【背景技術】
【０００２】
近年、社員証、学生証、定期券、あるいはお財布携帯などでは、個人を特定するＩＤカードとして近接無線通信技術（Near Field Communication：以下、ＮＦＣと称する）を使用したＩＣカード等のを使用しているものが多くなってきている。ＮＦＣと称される規格は、電磁誘導方式による１３．５６Ｈｚ周波数帯を使用し、通信可能距離が略１０ｃｍである比較的低速での近距離通信に使用される通信プロトコルである。この規格はＮＦＣ  ＩＰ−１（ＩＳＯ／ＩＥＣ１８０９２）及びＮＦＣ  ＩＰ−２（ＩＳＯ／ＩＥＣ２１４８４１）として整定されている。このＮＦＣの機能には、カードエミュレーション機能、リーダ・ライタエミュレーション機能、端末間通信機能に加え、拡張機能としてＮＦＣ端末間ペアリング機能、ブルートゥース（Bluetooth）ハンドオーバ機能などが含まれる。
【０００３】
カードエミュレーション機能は、非接触ＩＣカードとして機能し、ＦｅｌｉＣａ規格、ＴｙｐｅＡ規格、ＴｙｐｅＢ規格、ＲＦＩＤ（ＩＳＯ１５６９３規格）のＩＣカード／タグ対応する。リーダ・ライタエミュレーション機能は、リーダ・ライタとして機能し、前記各規格に対応するＩＣカード及びタグの読み書きが可能であり、スマートカードチップにＮＦＣが組み込まれた携帯電話やＰＤＡ（Personal Digital Assistant)を前記規格のＩＣやタグに翳すと、所定の情報の転送が可能となるという機能である。端末間通信機能は、ＮＦＣ対応の機器間でデータの送受信を行う機能である。ＮＦＣ端末間ペアリング機能は、ＮＦＣ対応の機器間でペアリングあるいは認証だけをＮＦＣで行い、ペアリングあるいは認証後、大量のデータは他の高速な規格で通信するという機能である。ブルートゥースハンドオーバ機能は、前述のようにＮＦＣ対応の機器間でペアリングあるいは認証だけをＮＦＣで行い、その後、大量のデータをブルートゥースによって送受信するものである。同様の機能にＷｉＦｉハンドオーバ機能もある。
【０００４】
コンピュータの分野では、このＮＦＣ通信機能を備えたＩＣカードを利用して機器の利用者制限を行ったり、ネットワークでのペアリングやアソシエーションなどが実現されてきている。さらに、このＮＦＣ機能は、コンピュータの分野だけではなくコピーやファクシミリ機能を複数実装したオフィス機器の使用についてもセキュリティを考慮した上でネットワークのペアリングやアソシエーションを、ＮＦＣにて行うことが提案されている。
【０００５】
すなわち、ワイヤレスで情報の送受を行う場合、無線電波が広範囲に伝搬するため、相手側機器を正確に特定しなければ、機器間のデータ伝送におけるセキュリティが低下してしまうというワイヤレス通信特有の問題点がある。この問題点は、通信距離約１０ｃｍ程度のＮＦＣにおいても例外ではない。そこで、ＩＣカード等では、トークンと称されるプロテクトされた領域に格納されたデジタル証明書が利用されている。このトークンは、ＮＦＣについて用いられている場合には、ＮＦＣトークンと称されている。
【０００６】
このＮＦＣトークンの方式自体様々なものが存在するが、多くは、ＮＦＣトークン内の記憶領域に機器を使用する上で必要な情報を記録しておき、その情報を読み出すことにより、通信をはじめる前に暗号化方式や暗号鍵などの情報を交換、共有して安全な通信路を確立するアソシエーション、ペアリング暗号を用いるペアリング、あるいはＩＣカード認証、等の認証処理を行って高いセキュリティ機能を確保するようにしている。この情報の記憶領域には、データアクセスの際に、ＮＦＣトークンと機器間で相互認証を行うなどする機能が実装されている場合もある。ＮＦＣトークン内には、ネットワーク接続するために必要な設定情報及び個人を認証するために必要な情報が保持されており、機器が取得することができる。ＮＦＣトークン内の情報が保持されているエリアは使用する機能により異なっており、このため、ユーザが使用する機能に応じてアクセスするエリアを選定する必要がある。この選定のため、機器の設定を変更しなければならない場合もあった。この設定の変更はユーザが実行する必要があり、ユーザにとって設定変更操作が煩雑なものとなっていた。
【０００７】
一方、ワイヤレス通信におけるセキュリティに関する技術として例えば特許文献１あるいは２に記載された発明が知られている。このうち、特許文献１には、ペアリングに関する技術が提案されている。この技術は、特定用途向けの無線又は有線ネットワークを確立するため、ホスト通信装置と周辺通信装置との間でペアリングを行うもので、周辺装置に一義的に関係する装置識別情報は、ホスト装置に表示され、このペアリングを容認するため、ユーザは、ホスト装置に表示された装置識別情報が周辺装置に記されたものと合致することを確認し、周辺装置におけるキーを押すことにより、あるいは、ＮＦＣ（Near Field Communication）技術が装置に使われている場合にはホスト装置に接触又は十分に近くに周辺装置を置くことにより、ペアリング手続きを完成するようにしている。この技術では、周辺装置において複雑なユーザインターフェイスを必要とすることなく確実なペアリングが行われる。
【０００８】
また、特許文献２には、簡便にワイヤレスＵＳＢ通信の初期設定を行い、安全にデータ伝送を確立することができるようにした技術が提案されている。この技術は、ワイヤレスＵＳＢアダプタは、ＵＳＢコネクタに接続された外部機器からのデータをワイヤレスＵＳＢ通信するためのＤＷＡドライバと、ＮＦＣ通信を行うための第１近傍無線通信手段を備え、近傍無線通信手段を用いて、データ処理装置との暗号化データ通信を実行するための通信設定を行い、ワイヤレスＵＳＢプロトコルを使用して前記暗号化データ通信を実行し、データ処理装置は、ワイヤレスＵＳＢ通信するためのＨＷＡドライバと、第２近傍無線通信手段を備え、近傍無線通信手段を用いて暗号化データ通信を実行するための通信設定を行うというものである。
【特許文献１】特表２００８−５１２８９１号公報
【特許文献２】特開２００８−０７２５３３号公報
【発明の開示】
【発明が解決しようとする課題】
【０００９】
しかし、前記特許文献１記載の発明では、ユーザはホスト装置に表示された装置識別情報が周辺装置に記されたものと合致することを確認し、周辺装置におけるキーを押す必要がある。あるいは、ＮＦＣ技術が装置に使われている場合にはホスト装置に接触又は十分に近くに周辺装置を置く必要がある。前者の場合には、ユーザがホスト装置の表示を見て確認し、その後、キー操作をする必要が、ユーザの確認と操作が必須である。また、後者の場合には、周辺装置をホスト装置に接触させ、あるいは十分に近くに置く必要があり、大きな周辺装置について適用することはできない。
【００１０】
また、特許文献２記載の発明では、ワイヤレスＵＳＢアダプタが第１近傍無線通信手段を、データ処理装置が第２の近傍無線通信手段をそれぞれ備え、第１及び第２の近傍無線通信手段は、ＮＦＣプロトコルを使用するＮＦＣ通信リンクを確立できるようにされている。ＮＦＣ通信リンクは、データ処理装置のＨＷＡ通信手段とアダプタの通信手段との間のデータ伝送を安全に行うための、ホスト−デバイス間で互いを特定するための識別値と、通信の暗号化鍵とを含む接続コンテキストの交換を行うために使用される。しかし、第１近傍無線通信手段と第２近傍無線通信手段との間のＮＦＣ通信リンクの確立のためにどのようにするかということについては触れられていない。
【００１１】
いずれにしても引用文献１及び２には、ＮＦＣトークン内に機器をネットワークに接続するためのアソシエーション情報、ペアリング情報、及び認証情報にユーザ毎のＩＤとパスワードなどの個人情報を保持していること、その保持された情報を利用する際は、ユーザが機器に対して上記の情報を何のために使用するかの設定を意図して変更をしておく必要があることなどは、開示も示唆もされておらず、当然これらの対応にも触れられていない。そのため、前述のようにＮＦＣトークン内の情報から、使用する機能に応じてユーザが機器の設定を変更する煩わしさは解消されておらず、使用性に問題があった。
【００１２】
そこで、本発明が解決しようとする課題は、近距離無線通信を使用した通信におけるユーザの使用性の向上を図り、スムーズな機器運用を可能とすることにある。
【課題を解決するための手段】
【００１３】
前記課題を解決するため、第１の手段は、有線ＬＡＮ及び無線ＬＡＮ回線の少なくとも一方に接続するためのインターフェイス及び無線を使用して接続するためのローカルインターフェイスを備えた周辺機器であって、前記周辺機器は、前記ローカルインターフェイスを介してデバイス機器から近距離無線通信によるアクセスがあり、当該アクセスに基づいて前記周辺機器の利用が開始される際、当該周辺機器に関する利用開始情報を当該周辺機器の操作表示部に表示することを特徴とする。
【００１４】
第２の手段は、第１の手段において、前記利用開始情報が、有線ＬＡＮ接続状態、無線ＬＡＮ接続状態、ブルートゥースによる通信状態、ワイヤレスＵＳＢによる通信状態、及びデバイス機器のユーザがユーザ認証によって正規ユーザとして認証が完了した状態のいずれかであることを特徴とする。
【００１５】
第３の手段は、第２の手段において、前記利用が開始された後、前記操作表示部に通信内容の詳細と手順を表示することを特徴とする。
【００１６】
第４の手段は、第１又は第２の手段において、前記利用が開始される際、前記周辺機器はアクセスされた情報に基づいて前記デバイス機器を認識する認証を実行し、認証が完了したときに前記利用を許可することを特徴とする。
【００１７】
第５の手段は、第１又は第２の手段において、前記利用が開始される際、前記周辺機器はアクセスされた情報に基づいて前記デバイス機器を認識する認証を実行し、認証が失敗したとき、その旨、前記操作表示部に表示することを特徴とする。
【００１８】
第６の手段は、第４又は第５の手段において、前記認証が、当該周辺機器内に保持されている認証情報、あるいはネットワーク上に設置されている認証サーバの認証情報を用いて行われることを特徴とする。
【００１９】
第７の手段は、第６の手段において、前記認証は、前記デバイス機器内のトークン情報に基づいて行われることを特徴とする。
【００２０】
第８の手段は、第７の手段において、前記トークン情報が、前記デバイス機器のタイプ判別情報と、アソシエーション種別に基づいて行われることを特徴とする。
【００２１】
第９の手段は、第８の手段において、前記タイプ判別情報が、ＦｅｌｉＣａ規格、ＴｙｐｅＡ規格、ＴｙｐｅＢ規格、及びＰｔｏＰのいずれかであることを特徴とする。
【００２２】
第１０の手段は、第８の手段において、前記アソシエーション種別が、アソシエーション、ペアリング、及びＩＣカード認証のいずれかであることを特徴とする。
【００２３】
第１１の手段は、第１ないし第１０のいずれかの手段において、前記近距離無線通信によって行われる通信の通信内容を記録し、保持する手段を備えていることを特徴とする。
【００２４】
第１２の手段は、第１ないし第１１のいずれかの手段において、前記周辺機器が、プリンタ装置、スキャナ装置、ファクシミリ装置、これらの各装置のうちの少なくとも２つの機能を有するデジタル複合機、及びパーソナルコンピュータのうちの１つであり、前記デバイス機器が、ＩＣカード、ＲＦＩＤ、ＮＦＣ−Ｒ／Ｗ、携帯電話、及びＰＤＡのうちの１つであることを特徴とする。
【００２５】
第１３の手段は、有線ＬＡＮ及び無線ＬＡＮ回線のいずれかを含むネットワーク回線と、このネットワーク回線に前記インターフェイスを介して接続された罫線請求項１ないし１３のいずれか１項に記載の周辺機器と、を備えたネットワークシステムを特徴とする。
【００２６】
第１４の手段は、有線ＬＡＮ及び無線ＬＡＮ回線の少なくとも一方に接続するためのインターフェイス及び無線を使用して接続するためのローカルインターフェイスを備えた周辺機器の通信処理方法であって、前記ローカルインターフェイスを介し、近距離無線通信によりデバイス機器から前記周辺機器にアクセスがあり、当該アクセスに基づいて前記周辺機器の利用が開始される際、当該周辺機器に関する利用開始情報を当該周辺機器の操作表示部に表示することを特徴とする。
【００２７】
第１５の手段は、第１４の手段において、前記アクセスに基づいて前記周辺機器の利用が開始される際、前記デバイス機器の前記近距離無線通信で使用されるトークンを認識し、前記トークンのタイプを判定し、前記トークン情報を取得し、その間、情報処理中である旨、前記周辺機器の操作表示部に表示することを特徴とする。
【００２８】
第１６の手段は、第１５の手段において、前記トークン情報を取得した後、前記トークンに基づいて前記デバイス機器のユーザ認証か、前記デバイス機器のネットワーク設定かを判断することを特徴とする。
【００２９】
第１７の手段は、第１６の手段において、前記判断でユーザ認証であったときには、認証画面を表示し、認証の可否を判断することを特徴とする。
【００３０】
第１８の手段は、第１６の手段において、前記判断でネットワーク設定であったときには、前記操作表示部にネットワーク設定中である旨表示し、ネットワークの種別を判断し、前記種別に応じたペアリングを実施することを特徴とする。
【００３１】
第１９の手段は、有線ＬＡＮ及び無線ＬＡＮ回線の少なくとも一方に接続するためのインターフェイス及び無線を使用して接続するためのローカルインターフェイスを備えた周辺機器の通信処理制御をコンピュータで実行するためのコンピュータプログラムであって、前記ローカルインターフェイスを介し、近距離無線通信によりデバイス機器から前記周辺機器にアクセスがあり、当該アクセスに基づいて前記周辺機器の利用が開始される際、前記デバイス機器の前記近距離無線通信で使用されるトークンを認識する手順と、前記トークンのタイプを判定する手順と、前記トークン情報を取得する手順と、その間、情報処理中である旨、前記周辺機器の操作表示部に表示する手順と、を備えていることを特徴とする。
【００３２】
第２０の手段は、第１９の手段に係るコンピュータプログラムがコンピュータによって読み取られ、実行可能に記録媒体に記録されていることを特徴とする。
【００３３】
なお、後述の実施形態において、有線ＬＡＮ及び無線ＬＡＮ回線はネットワーク８に、有線ＬＡＮ及び無線ＬＡＮ回線の少なくとも一方に接続するためのインターフェイスはＮＩＣ１０６及びＷＬＡＮ１０７に、ローカルインターフェイスはＵＳＢホストに接続されたＮＦＣリーダライタ装置１１に、周辺機器は画像形成装置１又はＰＣ５に、デバイス機器はＩＣカード１１３、ＲＦＩＤ１１４、ＮＦＣ−Ｒ／Ｗ１１５、携帯電話６、及びＰＤＡ７のうちの１つに、近距離無線通信はＮＦＣ（Near Field Communication）に、操作表示部は符号１３に、ネットワークは符号８に、認証サーバは符号４に、トークン情報は符号１０に、通信内容を記録し、保持する手段はＲＡＭ１１６及びＨＤＤ１１７に、それぞれ対応する。
【発明の効果】
【００３４】
本発明によれば、デバイス機器から近距離無線通信によるアクセスがあり、当該アクセスに基づいて前記周辺機器の利用が開始される際、当該周辺機器に関する利用開始情報が当該周辺機器の操作表示部に表示されるので、ユーザにとって周辺機器の利用状況を容易に把握がすることができ、近距離無線通信を使用した通信におけるユーザの使用性の向上を図り、スムーズな機器運用が可能となる。
【発明を実施するための最良の形態】
【００３５】
以下、図面を参照し、本発明の実施形態について説明する。
【００３６】
図１は本発明の実施形態に係る画像形成装置のネットワークシステムのシステム構成を示すブロック図である。同図において、本システムは、画像形成装置１に対してアクセスポイント２、ネットワーク端末装置３、外部認証サーバ４、ＰＣ５などがネットワーク８を介して通信可能に接続されている。また、画像形成装置１及びＰＣ５にはＮＦＣトークン１０とインターフェイスをとることが可能なＮＦＣリーダライタ装置（以下、ＮＦＣ−Ｒ／Ｗと称す）１１，１２がそれぞれ接続されている。なお、ネットワーク８は例えば有線ＬＡＮあるいは無線ＬＡＮであり、これらの組み合わせでも良い。
【００３７】
画像形成装置１及びＰＣ５に接続されたＮＦＣ−Ｒ／Ｗ１１，１２はＮＦＣトークン１０との間でＮＦＣ通信を行うことが可能で、ＮＦＣトークン１０がＮＦＣ−Ｒ／Ｗ１１，１２の通信距離内に入ると通信が行われる。ＮＦＣトークン１０には、ユーザのネットワーク設定情報及び自身の個人認証情報が記録されている。ＮＦＣトークン１０をＮＦＣ−Ｒ／Ｗ１１あるいは１２ａに翳し、ＮＦＣ−Ｒ／Ｗ１１あるいは１２によってＮＦＣトークン１０に記録されている内容が取得されると、ＮＦＣ−Ｒ／Ｗ１１あるいは１２が接続されている画像形成装置１あるいはＰＣ５で、ネットワークアソシエーション、ペアリング、あるいは認証処理が行われる。ネットワークアソシエーション、ペアリング、あるいは認証処理が成功した場合、ＮＦＣトークン１０により認証を受けたユーザは、画像形成装置１の使用を開始することができる。あるいは、ネットワークに接続された機器とデータ通信を行うことができる。なお、ＮＦＣトークン１０はＩＣカードのようなカード状の機器に搭載するものの他に、携帯電話６あるいはＰＤＡ７に搭載されている場合もある。
【００３８】
図２は図１における画像形成装置１のハードウェア構成を示すブロック図である。画像形成装置１は、コントローラ１００、操作表示部１３、ファックス制御ユニット１４、プロッタ（プロッタエンジン）１５、スキャナ（スキャナエンジン）１６及びその他のハードウェアリソース１７から基本的に構成されている。
【００３９】
コントローラ１００は、ノースブリッジ（以下、ＮＢと称す）１０１、ＣＰＵ１０２、ＲＡＭ１０３、ＡＳＩＣ１０４を備え、ＣＰＵ１０２、ＲＡＭ１０３、ＡＳＩＣ１０４はそれぞれＮＢ１０１に接続されている。ＮＢ１０１には、さらに、シリアルバス１０５、ＮＩＣ（Network Interface Card) １０６、無線ＬＡＮ（Wireless LAN−以下、ＷＬＡＮと略称する) １０６、ＵＳＢデバイス１０８、ＵＳＢホスト１０９、メモリカードＩ／Ｆ１１０がＰＣＩバス１１１を介して接続され、シリアル通信、ネットワーク通信、無線通信、ＵＳＢデバイスと接続する際に使用される。ＵＳＢホスト１０９には、ＵＳＢケーブル（バス）１１２を介してＮＦＣ−Ｒ／Ｗ１１が接続され、ＮＦＣ−Ｒ／Ｗ１１によってＩＣカード１１３、ＲＥＩＤ１１４、他のＮＦＣ−Ｒ／Ｗ１１５、携帯電話６、あるいはＰＤＡ７のＮＦＣトークンとアクセスすることが可能となっている。また、ＡＳＩＣ１０４には、ＲＡＭ１１６及びＨＤＤ１１７が接続されている。なお、本実施形態では、携帯電話６及びＰＤＡ７にはスマートカードチップを用いたＮＦＣチップセット６ａ，７ａが搭載され、ＮＦＣプロトコルによる通信が可能となっている。この実施形態では、ＮＦＣ−Ｒ／Ｗ１１，１２を介してネットワーク８に接続されたいずれかの装置と通信可能である。
【００４０】
前記ファックス制御ユニット１４、プロッタ１５、スキャナ１６及びその他のハードウェアリソース１７などのハードウェアはＰＣＩバス１１８を介してＡＳＩＣ１０４に接続され、また、操作表示部（オペレーションパネル）１３はＰＣＩバス１１８を介さずに直接ＡＳＩＣ１０４に接続されている。
【００４１】
コントローラ１００では、ＣＰＵ１０２はＮＢ１０１を介して接続された各部を制御し、ＡＳＩＣ１０４は前記ハードウェア群に対して予め設定された制御を実行する。ＣＰＵ１０２は図示しないＲＯＭあるいはＨＤＤ１１７に格納されたプログラムをＲＡＭ１０３に展開し、さらに、このＲＡＭ１０３をワークエリアとして使用しながら、前記プログラムに基づいた制御を実行する。ＲＡＭ１１６は制御を実行する過程で一時データ格納するための記憶装置であり、ＨＤＤ１０７はデータを大量に記憶可能な不揮発性の記憶装置としてのハードディスク装置である。
【００４２】
シリアルバス１０５は外部機器との間でシリアル通信を行うためのもので、ＮＩＣ１０６はＬＡＮに接続するための拡張カード、ＷＬＡＮ１０７は無線ＬＡＮに接続するための拡張カードで、これらのカードによりＰＣＩバス１１１に対してそれぞれＬＡＮ接続が行われる。ＵＳＢデバイス１０８はＵＳＢ接続のためのデバイスであり、メモリカードＩ／Ｆ１１０には、必要に応じてメモリカードが挿入され、ＰＣＩバス１１１との接続が図られる。
【００４３】
操作表示部１３は所謂操作表示部であり、メッセージ表示とともに入力操作が可能なユーザインターフェイスである。ファックス制御ユニット１４は、Ｇ３規格及びＧ４規格のファックス通信を可能にするものであり、プロッタ１５は記録シートに画像を印字するものであって、画像形成装置の出力リソースとして機能する。スキャナ１６は原稿あるいはバーコードなどの可視像を読み取る光読み取り装置であり、画像形成装置の読み取りデータの入力リソースとして機能する。その他のハードウェアリソース１７としては、給紙装置、フィニッシャ、折り装置、カバーフィーダ、メールボックスなどの周辺機器が該当する。
【００４４】
ＮＦＣトークン１０のアクセスには、前述のようにＵＳＢホスト１０９に接続されたＮＦＣ−Ｒ／Ｗ１１が使用される。その際、ＣＰＵ１０２はノースブリッジ１０１、ＰＣＩバス１１１、ＵＳＢホスト１０９を介し、ＵＳＢケーブル１１２によってＮＦＣ−Ｒ／Ｗ１１と接続されており、ＮＦＣ−Ｒ／Ｗ１１に対してＣＰＵ１０２からコマンドを送信することにより制御し、ＮＦＣ−Ｒ／Ｗ１１がＩＣカード１１３あるいはＲＥＩＤ１１４等のＮＦＣトークン１０と通信を行うことにより実現される。このＵＳＢホスト１０９との通信系路にはネットワークアソシエーション情報、ペアリング情報、利用者の認証情報、及び認証情報へアクセスするための鍵情報などのデータが送受信される。このためＵＳＢケーブル１１２がモニタされることによる情報の漏洩が懸念される。そこで、ＵＳＢ上のコマンド及びデータの送受信を暗号化することにより対処している。暗号化を行う前にはＮＦＣ−Ｒ／Ｗ１１との間で認証を行い、その結果から得られた共通な鍵を生成している。共通鍵を利用し暗号／復号することでＵＳＢケーブル１１２上をセキュアにしている。
【００４５】
図３は本実施形態に係る画像形成装置１のソフトウェア構成を示すブロック図である。画像形成装置１は、コントローラ部ＣＲとエンジン部ＥＮとから基本的に構成され、コントローラ部ＣＲの制御に基づいてエンジン部ＥＮで物理的な印字、読み取り、その他の処理が実行される。
【００４６】
コントローラ部ＣＲはオペレーションシステムＯＳ上にサービス層２０とアプリケーション層３０が設けられた構成をとり、サービス層２０は、システム制御サービス２１、ファックス制御サービス２２、エンジン制御サービス２３、メモリ制御サービス２４、操作制御サービス２５、ネットワーク制御サービス２６、及び認証制御サービス２７の各部を備えている。その上に設定されたアプリケーション層３０は、コピーアプリケーション３１、ファクスアプリケーション３２、プリンタアプリケーション３３、及びウェブアプリケーション３４の各アプリケーションを備えている。エンジン部ＥＮはコントローラ部ＣＲに対してエンジンＩ／Ｆ１８を介してエンジン制御ボード１９に接続され、エンジン制御ボード１９によってプロッタエンジン１５、スキャナエンジン１６、及びその他のハードウェアリソース１７を制御する。
【００４７】
このように構成されていることから、画像形成装置１では、コピー、ファックス、プリンタ、Ｗｅｂ等の各アプリケーション３１，３２，３３，３４によって処理することが可能であり、これらのアプリケーションを利用するための個人認証を認証制御サービス２７によって実施している。その際、ユーザは、認証制御サービス２７によって、ネットワークアソシエーション、ペアリング、あるいは個人認証が成功して初めてこれらのアプリケーション３１，３２，３３，３４を利用することができる。
【００４８】
図４は認証制御サービス２７のサービスモジュールに着目したソフトウェアモジュール構成を示すブロック図である。  
同図において、このソフトウェアモジュールはＮＦＣフレームワーク２７−１の下に、ＮＦＣリソースマネージャ２７−２、ネットワークライブラリ２７−５、アドレス帳ＤＢ２７−７、及び描画処理モジュール２７−１０が配置されている。また、ＮＦＣリソースマネージャ２７−２の下位には、ＮＦＣ−Ｒ／Ｗデバイスドライバ２７−３及びＵＳＢホストデバイスドライバ２７−４が位置している。さらに、ネットワークライブラリ２７−５の下には無線モジュール２７−６が位置し、アドレス帳ＤＢ２７−７の下には、ファイルシステム２７−８及びＨＤＤドライバ２９−９が位置し、描画処理モジュール２７−１０の下にグラフィックドライバ２７−１１が位置し、アプリケーション３０はこのＮＦＣフレームワーク２７−１を土台として前記各アプリケーション３１，３２，３３，３４を実行する。
【００４９】
本実施形態では、ＮＦＣフレームワーク２７−１はアプリケーション３０から認証要求を受付け、描画処理モジュール２７−１０、グラフィックドライバ２７−１１を経由して操作表示部１３への表示処理、ＮＦＣソースマネージャ２７−２より、ＮＦＣトークン１０からネットワーク設定情報や認証情報を取得し、取得した情報をネットワークライブラリ２７−５を利用して無線モジュール２７−６及び／又は外部アクセスポイント２に対して問い合わせを行い、あるいは、アドレス帳ＤＢ２７−７に対して問い合わせを行い、もしくは外部認証サーバ４に対して問い合わせを行う。そして、ＮＦＣフレームワーク問い合わせ途中の詳細情報及びその結果、ネットワーク設定及び認証の成功もしくは失敗をアプリケーション３０へ出力する。
【００５０】
図５は画像形成装置１の表示画面部を含む操作表示部（オペレーションパネル）１３の表示状態を示す図である。操作表示部１３自体は、この実施形態では、タッチパネル構成であり、表示された画面の所定の領域をタッチ又は押圧することにより指示入力あるいは選択入力が行われる。図５は、ＩＣカード１１３をＮＦＣ−Ｒ／Ｗ１１に翳し、ＮＦＣ−Ｒ／Ｗ１１がＩＣカード１１３内のＮＦＣトークン１０を認識したときの画面を示している。
【００５１】
図５の操作表示部１３の表示画面１３−１には、“ＮＦＣトークンを認識しました。・・・認識中”というメッセージ１３−２と、取り消しボタン１３−３及び中止ボタン１３−４が表示されている。取り消しボタン１３−３は、認識させたＮＦＣトークン１０が間違ったものであるとユーザが気づいたとき、再度、正しいＮＦＣトークン１０を使用する場合に押下するボタンである。このボタンを押下した後、正しいＮＦＣトークン１０をＮＦＣ−Ｒ／Ｗ１１に翳せば、正しいＮＦＣトークン１０を引き続いて認識させることができる。これに対し、中止ボタン１３−４は、そもそもＮＦＣトークン１０を認識させることが間違っており、ＮＦＣトークン１０に認識処理を終了させる場合に押下するものである。
【００５２】
図６は図５の認識画面から認証が完了した後のコピーアプリケーションを実行するときの表示画面１３−１の表示状態を示す図である。この表示画面では、原稿枚数、セット枚数、コピー枚数の各表示、用紙選択ボタン、変倍選択、等のコピーアプリケーションを実行するときの選択項目が表示されている。コピーを実行する場合にはこの画面から用紙サイズ、変倍率などを選択する。コピーボタン及びコピー枚数などの入力するテンボタンは図示しないがハードボタンとして操作表示部１３の外側に設けられている。なお、図６に示した表示画面１３−１はネットワーク処理終了後も同じ画面で表示される。
【００５３】
図７は、ＮＦＣトークン１０によるユーザ認証が失敗した場合の表示画面で、“認証に失敗しました。”というメッセージ１３−５とともに、その旨了承したことを入力する確認ボタン１３−６が表示される。したがって、ユーザがこの確認ボタン１３−６を押下すると、この時点で認証処理は終了する。
【００５４】
図８は図５の認証完了後にＮＦＣトークン情報を取得しているときの状態を示す表示画面である。ここでは、ＮＦＣトークン１０内の情報が表示されている。すなわち、ＮＦＣトークン１０内の情報より、ＮＦＣトークン１０の規格判定（ＩＣカードのカードＴｙｐｅ判定）を行い、翳されているＮＦＣトークンのタイプが何であるかを表示する。また、ＮＦＣトークン１０内の情報及びアクセスしているエリアにより、何のための情報取得を行ったのかがこの画面に表示される。なお、本実施形態で想定しているＮＦＣのＩＣカード１１３のカードタイプは、ＦｅｌｉＣａ、ＴｙｐｅＡ、ＴｙｐｅＢの各規格であり、本実施形態では、ＰｔｏＰ（Peer to Peer)の認識も可能である。また、前述のようにＲＦＩＤも使用可能である。
【００５５】
この実施形態では、“ＮＦＣトークン情報と取得しています。”というメッセージ１３−７とともに、カードＴｙｐｅ判定として、ＦｅｌｉＣａ１３−７ａ、ＴｙｐｅＡ１３−７ｂ、ＴｙｐｅＢ１３−７ｃの各規格及びＰｔｏＰ（Peer to Peer)１３−７ｄのいずれであるか、また、認証に使用されるアプリケーション種別が、アソシエーション１３−７ｅ、ペアリング１３−７ｆ、あるいはＩＣカード認証１３−７ｇのいずれであるかが、例えば該当項目が反転表示される。これにより、ユーザはＮＦＣトークン１０内の情報が一目で理解できる。
【００５６】
図９は、翳されたＮＦＣトークン１０からネットワーク設定のアソシエーションもしくはペアリングと判定された場合に、ＮＦＣトークン１０内の情報からネットワーク設定を行っているときに表示される表示画面の一例を示す図である。この表示画面では、“ネットワーク設定を行っています。しばらくおまち下さい。”というメッセージ１３−８とともに、接続先の情報取得中１３−８ａ、ＩＰアドレスの取得中１３−８ｂが表示され、さらに、取消ボタン１３−９及び閉じるボタン１３−１０も表示される。取消ボタン１３−９は、この画面では、ネットワーク設定を行っているが、接続先情報１３−８ａ及び／又はＩＰアドレス情報１３−８ｂの取得が不完全でブロッキングした際、この設定処理を中止させる際に押下する。
【００５７】
図１０は、図９の表示状態からネットワーク設定が正常に完了した際に表示される操作表示部１３の表示画面の一例を示す図である。ＷＬＡＮのアソシエーションの場合、正常に設定が完了すると、“ネットワーク設定が完了しました。詳細情報を確認して下さい。”というメッセージ１３−１１とともに、接続先のアクセスポイント１０２の情報１３−１１ａ及び設定されたＩＰアドレス１３−１１ｂが表示される。この画面においても取消ボタン１３−１２及び閉じるボタン１３−１３が表示される。この画面における取消ボタン１３−１２は、ネットワーク設定が完了した際に、ネットワーク設定情報に間違いがある場合に、そのネットワーク設定を無効にする必要があるときに押下するためのボタンである。図９及び図１０における閉じるボタン１３−１０，１３−１３は、表示している画面を閉じるときに使用するボタンである。
【００５８】
なお、図１０では、ＷＬＡＮにおける接続処理の操作表示部１３の表示例を例示しているが、本実施形態では、ＮＦＣトークンの例として、ＷＬＡＮの他にＢｌｕｅｔｏｏｔｈ、ワイヤレスＵＳＢにおいても適用されることから（後述の図１１のステップＳ１１、Ｓ１２、Ｓ１３、Ｓ１４参照）、操作表示部１３の表示画面１３−１は、これらの通信プロトコルに対応した表示となる。
【００５９】
図１１は、本実施形態に係るＮＦＣトークン情報の取得動作手順を示すフローチャートである。同フローチャートにおける処理は、主に、ＮＦＣトークンの認識処理、ネットワーク設定処理、アソシエーション又はペアリング処理、認証失敗処理、認証完了処理などの各処理からなる。このフローチャートでは、まず、画像形成装置１を含むシステムが起動した後、ＮＦＣ−Ｒ／Ｗ１１が画像形成装置１のＵＳＢホスト１０９に接続されており、かつＮＦＣ−Ｒ／Ｗ１１が使用可能な場合、ユーザがＩＣカード１１３、ＲＦＩＤチップ１１４、携帯電話６、あるいはＰＤＡ７などのＮＦＣ機能を備えたデバイス機器をＮＦＣ−Ｒ／Ｗ１１に近接した位置に持って行き、ＮＦＣ−Ｒ／Ｗ１１上に翳すと、前記ＩＣカード１１３等内のＮＦＣトークン１０内の情報を認識する（ステップＳ１）。次いで、ＮＦＣトークン１０内のアクセスエリアの情報に基づいて、使用されているＮＦＣトークン１０のタイプ情報を判定する（ステップＳ２）。
【００６０】
ステップＳ１のＮＦＣトークン１０の認識処理、及びステップＳ２のＮＦＣトークン１０のタイプ判定処理を行っているとき、ユーザに対して図５に示した認識中画面を表示する（ステップＳ３）。ＮＦＣトークン１０内の情報から、ネットワークアソシエーションあるいはペアリング、もしくは認証のための情報であるかを判断し（ステップＳ４）その後、判定結果に基づいてユーザに対して何を行っているかの詳細取得情報を図８に示す表示画面１３−１に表示する（ステップＳ５）。ここでは、前述のようにＩＣカードタイプの判別と認証のためのアプリケーションの種別が表示される。
【００６１】
次いで、ネットワーク設定か認証であるかの判断により、その後の処理が異なるため、ステップＳ６でネットワーク設定か認証のいずれの処理であるかを判定する。このステップ６の判定で、ネットワーク設定であると判定された場合は、図９に示すように、ネットワーク設定を行っている旨（メッセージ１３−８）、表示画面１３−１に表示し（ステップＳ７）、ＮＦＣトークン１０より取得したネットワーク設定に必要な情報を使用して、ネットワークアソシエーションもしくはペアリングの処理を実施する（ステップＳ８、Ｓ９、Ｓ１１、Ｓ１３）。ネットワークアソシエーションもしくはペアリングの処理が完了すると、その旨をユーザに対して操作表示部１３の操作画面１３−１に表示し（ステップＳＳ１０、Ｓ１２、Ｓ１４）、処理が完了する。
【００６２】
一方、ＮＦＣトークン内の情報が認証情報であると判断した場合は、認証画面を表示画面１３−１に表示し（ステップＳ１５）、認証処理を実行する。認証が成功した場合（ステップＳ１６）は図６に示したアプリケーション画面が表示され（ステップＳ１８）、失敗した場合は図７に示した認証に失敗した旨のメッセージ１３−５を表示し（ステップＳ１７）、確認ボタン１３−６が押されると、例えば図６のコピーアプリケーションの画面が表示される。しかし、認証に失敗しているので、認証に失敗したＮＦＣトークンのＩＣカードを使用したユーザについては画像形成装置１の使用は許可されない。もし、ＰＣ５に接続されているＮＦＣ−Ｒ／Ｗ１２を使用した認証であれば、ＰＣ５との間は通信は許可されない。
【００６３】
なお、ネットワークアソシエーションもしくはペアリングの処理は、詳細には次のように処理される。すなわち、前記ステップＳ８でネットワークがＷＬＡＮか、Ｂｌｕｅｔｏｏｔｈか、ワイヤレスＵＳＢかが判断される。いずれも無線を使用するものである。そして、ＷＬＡＮであれば、ＷＬＡＮのアソシエーションを実施し（ステップＳ９）、アソシエーションが完了した時点で、完了画面（図１０）を表示する（ステップＳ１０）。そしてこの完了画面で詳細情報確認後、閉じるボタン１３−１３が押下されると、例えばコピーアプリケーションであれば、図６の設定完了画面を表示して（ステップＳ１８）処理を終える。
【００６４】
また、ブルートゥースであれば、ブルートゥースのペアリングを実施し（ステップＳ１１）、ペアリングが完了した時点で、完了画面（図１０）を表示する（ステップＳ１２）。そしてこの完了画面で詳細情報確認後、閉じるボタン１３−１３が押下されると、例えばコピーアプリケーションであれば、図６の設定完了画面を表示して（ステップＳ１８）処理を終える。
【００６５】
さらに、ワイヤレスＵＳＢであれば、ワイヤレスＵＳＢのペアリングを実施し（ステップＳ１３）、ペアリングが完了した時点で、完了画面（図１０）を表示する（ステップＳ１４）。そしてこの完了画面で詳細情報確認後、閉じるボタン１３−１３が押下されると、例えばコピーアプリケーションであれば、図６の設定完了画面を表示して（ステップＳ１８）処理を終える。
【００６６】
なお、このような認証処理、表示処理はＵＳＢホスト１０９を介して認識情報と取り込んだＣＰＵ１０２が実行するが、この処理過程における全ての通信記録やデータの詳細は、画像形成装置１内のＲＡＭ１１６及びＨＤＤ１１７に記憶され、最終的にＨＤＤ１１７に不揮発保持される。したがって、通信記録やデータの詳細、認証失敗の情報も後から呼び出すことができる。
【００６７】
なお、本実施形態では、画像形成装置１に接続されたＮＦＣ−Ｒ／Ｗ１１によってＩＣカード１１３のＮＦＣトークン１０を認識したときの例について説明しているが、図１に示すようにＰＣ５に接続されたＮＦＣ−Ｒ／Ｗ１２によってＩＣカード１１３のＮＦＣトークン１０を認識したときには、ＰＣ５のディスプレイ５ａと画像形成装置１の操作表示部１３に前述の認証情報が表示される。その他、ネットワーク８に接続されたいずれかの機器にＮＦＣ−Ｒ／Ｗが接続され、当該ＮＦＣ−Ｒ／Ｃ装置でＩＣカードのＮＦＣトークンの認証を行った場合には、前記ＮＦＣ−Ｒ／Ｗが接続された機器のディスプレイと画像形成装置１の操作表示部１３に認証情報が表示される。
【００６８】
以上のように本実施形態によれば、以下のような効果を奏する。  
１）周辺機器としての画像形成装置は有線ＬＡＮ及び無線ＬＡＮ回線に接続するためのインターフェイスとしてＮＩＣ１０７及びＷＬＡＮ１０７と、無線を使用して接続するためのローカルインターフェイスとしてのＵＳＢホスト１０９を備え、前記ＵＳＢホスト１０９を介してデバイス機器としての例えばＩＣカード１１３をユーザがＮＦＣ−Ｒ／Ｗ１１に翳すことによりＮＦＣによるアクセス（ＮＦＣトークン）があり、このアクセスに基づいてＣＰＵ１０２が画像形成装置１の利用開始処理を行う場合、当該画像形成装置１に関する利用開始情報を当該画像形成装置１の操作表示部１３に表示するので、ユーザはＩＣカード１１３をＮＦＣ−Ｒ／Ｗ１１に翳した後、利用開始情報を画像形成装置の操作表示部１３の表示により確認することができる。これによりユーザ側では何の処理も、あるいは何の操作を行う必要なく、利用開始情報を確認することが可能となる。その結果、使用性の向上を図ることができるとともに、安心でかつスムーズな機器運用が可能となる。
【００６９】
２）前記利用開始情報が有線ＬＡＮ接続状態、無線ＬＡＮ接続状態、ブルートゥースによる通信状態、ワイヤレスＵＳＢによる通信状態、及びデバイス機器のユーザがユーザ認証によって正規ユーザとして認証が完了した状態のいずれかであるので、例えば有線ＬＡＮ接続状態、無線ＬＡＮ接続状態、ブルートゥースによる通信状態、ワイヤレスＵＳＢによる通信状態についてはステップＳ５の表示により、ユーザ認証の完了についてはステップＳ１６処理後のステップＳ１８の表示により利用開始を確認することができる。
【００７０】
３）利用開始処理がスタートした後、操作表示部１３の表示画面１３−１に通信内容の詳細と手順を例えばステップＳ７（図９）、ステップＳ１０（図１０）、ステップＳ１５（図５）、及びステップＳ１８（図６）のようにして表示するので、ユーザは利用開始以後の処理を特に何の操作を行うことなく容易に確認することができる。
【００７１】
４）利用開始処理がスタートした後、周辺機器はアクセスされた情報に基づいてデバイス機器を認識する認証をステップＳ６、Ｓ１５のようにして実行し、ステップＳ１６で認証が完了したときにステップＳ１８で図６のような表示を行い、前記周辺機器のアプリケーションの利用を許可するので、機器の管理者やユーザが事前に機器の設定をする手間を省いた上で、ユーザの利用を可能とすることができる。
【００７２】
５）利用開始処理がスタートした後、周辺機器はアクセスされた情報に基づいてデバイス機器を認識する認証をステップＳ６、Ｓ１５のようにして実行し、ステップＳ１６で認証が失敗したとき、その旨、ステップＳ１７で操作表示部１３に図７のように表示するので、ユーザは利用不可であることを周辺機器の表示画面１３−１から直ぐに知ることができる。
【００７３】
６）周辺機器（画像形成装置１あるいはＰＣ５）がアクセスされた情報に基づいてデバイス機器を認識する認証処理は、当該周辺機器内に保持されている認証情報、あるいはネットワーク８上に設置されている認証サーバ４に保存されている認証情報を用いて行われるので、速やかな認証処理が可能となる。
【００７４】
７）周辺機器（画像形成装置１あるいはＰＣ５）がアクセスされた情報に基づいてデバイス機器を認識する前記認証処理は、ＩＣカード１１３、ＲＦＩＤ１１４、ＮＦＣリーダライタ１１５、携帯電話６、あるいはＰＤＡ等のＮＦＣデバイス内のトークン情報に基づいて行われるので、高いセキュリティ機能を保持した状態での認証が可能となる。
【００７５】
８）トークン情報による認証は、前記デバイス機器のタイプ判別情報と、アソシエーション種別に基づいて行われるので、ＮＦＣ規格に沿った認証が可能となり、普遍的な装置として機能することができる。
【００７６】
９）タイプ判別情報が、ＦｅｌｉＣａ規格、ＴｙｐｅＡ規格、ＴｙｐｅＢ規格、及びＰｔｏＰのいずれかであるので、カードエミュレーション及び端末同士の通信が可能となる。
【００７７】
１０）アソシエーション種別が、アソシエーション、ペアリング、及びＩＣカード認証のいずれかであるので、無線通信を使用した認証の規格に全て対応することができる。
【００７８】
１１）ＮＦＣ通信によって行われる通信の通信内容をＲＡＭ１１６及び／又はＨＤＤ１１７に記録し、保持するので、システムの利用状況や障害の状況を後から確実に把握することが可能となり、セキュリティとメンテナンスの向上を図ることができる。
【００７９】
１２）前記周辺機器として、（ネットワーク）プリンタ、（ネットワーク）スキャナ、（インターネット）ファクシミリ、あるいは、プリンタ機能、スキャナ機能、ファクシミリ機能のうちの少なくとも２つの機能を有するデジタル複合機（画像形成装置）１、及びＰＣ５のうちのいずれかであり、前記デバイス機器が、ＩＣカード１３、ＲＦＩＤ１１４、ＮＦＣ−Ｒ／Ｗ１１５、携帯電話６、及びＰＤＡ７のうちのいずれかであるので、ＩＣカード１３、ＲＦＩＤ１１４、ＮＦＣ−Ｒ／Ｗ１１５、携帯電話６、及びＰＤＡ７のいずれかから、ネットワークプリンタ、ネットワークスキャナ、インターネットファクシミリ、デジタル複合機（画像形成装置）１、及びＰＣ５のいずれかに対して認証を受け、その周辺機器を使用することができる。その際、ＮＦＣによりデータを送って周辺機器の機能を使用することも、ＮＦＣで認証を受け、ＰｔｏＰにより相互通信を行い、あるいは、ＮＦＣによる認証後にブルートゥースによりデータ通信を行う所謂ハンドオーバーに対応するので、高速のデータ転送がＮＦＣによる認証のもとで可能となる。
【００８０】
１３）有線ＬＡＮ及び無線ＬＡＮ回線のいずれかを含むネットワーク８回線と、このネットワーク８回線に前記インターフェイスを介して接続された前記周辺機器（画像形成装置１、ＰＣ５、ネットワーク端末機器３等）とによってネットワークシステムが構成されるので、現在のビジネスシーンに対応したシステムを構築することができる。
【００８１】
１４）ＮＦＣトークン１０をＮＦＣ−Ｒ／Ｗ１１，１３に翳すことで、ＮＦＣトークン１０内の情報を取得し、その取得した情報に基づいてネットワーク設定を行うのか認証処理を行うのかをＣＰＵ１０２が判断するので、機器の管理者やユーザが事前に機器の設定をする手間を省略することができる。その結果、円滑な機器運用が可能となる。
【００８２】
１５）ステップＳ１からステップＳ１８の処理手順から分かるように、ＮＦＣを使用したデバイス機器のトークン内の情報やアクセスするエリアの違いに応じてユーザが機器の設定を変更する必要がなくなる。これにより、ユーザの使用性の向上を図ることができる。
【００８３】
なお、本発明は本実施形態に限定されるものではなく、特許請求の範囲に記載された技術思想に含まれる技術的事項の全てが対象となる。
【図面の簡単な説明】
【００８４】
【図１】本発明の実施形態に係る画像形成装置のネットワークシステムのシステム構成を示すブロック図である。
【図２】図１における画像形成装置１のハードウェア構成を示すブロック図である。
【図３】本実施形態に係る画像形成装置１のソフトウェア構成を示すブロック図である。
【図４】認証制御サービスのサービスモジュールに着目したソフトウェアモジュール構成を示すブロック図である。
【図５】画像形成装置の表示画面を含む操作表示部の表示状態を示す図である。
【図６】図５の認識画面から認証が完了した後のコピーアプリケーションを実行するときの表示画面の表示状態を示す図である。
【図７】ＮＦＣトークンによるユーザの認証が失敗した場合の表示画面の表示状態を示す図である。
【図８】図５の認証完了後にＮＦＣトークン情報を取得しているときの表示画面の表示状態を示す図である。
【図９】翳されたＮＦＣトークン内の情報からネットワーク設定を行っているときに表示される表示画面の一例を示す図である。
【図１０】図９の表示状態からネットワーク設定が正常に完了した際に表示される表示画面の一例を示す図である。
【図１１】本実施形態に係るＮＦＣトークン情報の取得動作手順を示すフローチャートである。
【符号の説明】
【００８５】
１  画像形成装置
２  アクセスポイント
３  ネットワーク端末装置
４  外部認証サーバ
５  パーソナルコンピュータ（ＰＣ）
６  携帯電話
６ａ  ＮＦＣチップセット
７  ＰＤＡ
７ａ  ＮＦＣチップセット
８  ネットワーク（ＬＡＮ）
１０  ＮＦＣトークン
１１，ＮＦＣ−Ｒ／Ｗ
１３  操作表示部
１０６  ＮＩＣ
１０７  ＷＬＡＮ
１１３  ＩＣカード
１１４  ＲＦＩＤ
１１５  ＮＦＣ−Ｒ／Ｗ
１１６  ＲＡＭ
１１７  ＨＤＤ
【図１】
2010136016.tif 000003
【図２】
2010136016.tif 000004
【図３】
2010136016.tif 000005
【図４】
2010136016.tif 000006
【図５】
2010136016.tif 000007
【図６】
2010136016.tif 000008
【図７】
2010136016.tif 000009
【図８】
2010136016.tif 000010
【図９】
2010136016.tif 000011
【図１０】
2010136016.tif 000012
【図１１】
2010136016.tif 000013